(57)【要約】【課題】  携帯電話機を最新の第三世代に買い換えた場合には、外部接続タイプの制御装置自体も買い換える必要があるが、第三世代対応のものはまだ開発されていない。また、現在使用している制御装置を廃棄せずにそのまま使用できれば、廃棄物とせず、ユーザーのニーズにも合致することになる。【解決手段】通信方式変換アダプター１の内部のＭＰＵ１５（チップ）はＣＰＵ、ＵＡＲＴ制御部１７等で構成されており、ＣＰＵはコマンド変換部１９としての機能を備えており、コマンド変換プログラムに従ってコマンド変換テーブル２１を参照しながらコマンド変換処理を実行する。従って、ＵＡＲＴ制御部１７を制御装置３に接続し、ＵＳＢホスト制御部２３を携帯電話機９に接続すると、第三世代の携帯電話機９を第二世代対応の制御装置３で制御できる。【選択図】        図２
2006185246.tif 000002
【特許請求の範囲】
【請求項１】
ＵＡＲＴ（非同期）通信方式用のコマンドとＵＳＢ通信方式用の同等機能コマンドとを相互に変換するコマンド変換部を介してＵＡＲＴ制御部とＵＳＢ制御部が接続されており、前記ＵＡＲＴ制御部とＵＡＲＴ機器との間でコマンドの送受信が行われ、前記ＵＳＢ制御部とＵＳＢ機器との間で変換コマンドの送受信が行われることを特徴とする通信方式変換アダプター。
【請求項２】
請求項１に記載した通信方式変換アダプターにおいて、ＵＡＲＴ制御部とコマンド変換部はＭＰＵによって構成されていることを特徴とする通信方式変換アダプター。
【請求項３】
請求項１または２に記載した通信方式変換アダプターにおいて、ＵＡＲＴ機器がハンズフリー装置等の外部接続型の制御装置であり、ＵＳＢ機器が携帯電話機であることを特徴とする通信方式変換アダプター。
【請求項４】
請求項１から３のいずれかに記載した通信方式変換アダプターにおいて、通信機器用の充電器の接続用リセと、前記接続用リセを介して充電器から供給された電源を分別して所定の電圧に変換してＵＡＲＴ制御部等に電源電圧を供給する電源部とＵＳＢ通信方式用ケーブルを介して前記通信機器に電源電圧を供給する充電制御部とを備え、前記通信方式変換アダプターの動作電圧と前記通信機器の充電電圧の発生を同時に可能とすることを特徴とする通信方式変換アダプター。
【発明の詳細な説明】
【技術分野】
【０００１】
本発明は、ＵＡＲＴ（非同期）通信方式とＵＳＢ通信方式との間の相互変換を可能にする通信方式変換アダプターに関するものである。
【背景技術】
【０００２】
現在主流の第二世代に属するＰＤＣ、ＣＤＭＡ−Ｏｎｅ等の携帯電話機では、ハンズフリーなどの外部接続タイプの制御装置との間の通信方式はUＡＲＴ（非同期）方式を標準で採用している。これに対して次世代である第三世代に属するＷ−ＣＤＭＡ等の携帯電話機では、外部接続タイプの制御装置との間の通信方式はＵＳＢ方式を採用している。即ち、採用されている通信方式が異なっている。
【０００３】
従って、携帯電話機を第三世代に属するものに買い換えた場合には、従来の第二世代対応の制御装置を利用することができなくなるため、制御装置自体も第三世代対応のものに買い換える必要があるが、そもそも第三世代対応のものはまだ開発されていない。また、現在のところ制御装置自体はユーザーの趣味性に訴えるものではないので、新機種が発売されても、携帯電話機と異なり、ユーザーが積極的に買い替えを希望するようなものには至っていない。
また、現在使用している制御装置を廃棄せずにそのまま使用できれば、廃棄物とせず、ユーザーのニーズにも合致することになる。
なお、説明の便宜のこのことは、携帯電話機用に限定されず、すべての通信機器についても言える問題である。
【発明の開示】
【発明が解決しようとする課題】
【０００４】
それ故、本発明は、上記発明を解決するために、通信方式の異なる通信機器と外部接続タイプの制御装置の間の通信を可能とし、特に第三世代に属する携帯電話機に第二世代対応の外部接続タイプの制御装置を利用することを可能にする通信方式変換アダプターを提供することを目的とする。
また、前記通信方式変換アダプターの電源供給と通信機器の連続充電を可能にすることにより、前記通信方式変換アダプターと通信機器の利便性を高めることを目的とする。
【課題を解決するための手段】
【０００５】
上記課題を解決するために、請求項１の発明は、ＵＡＲＴ（非同期）通信方式用のコマンドとＵＳＢ通信方式用の同等機能コマンドとを相互に変換するコマンド変換部を介してＵＡＲＴ制御部とＵＳＢ制御部が接続されており、前記ＵＡＲＴ制御部とＵＡＲＴ機器との間でコマンドの送受信が行われ、前記ＵＳＢ制御部とＵＳＢ機器との間で変換コマンドの送受信が行われることを特徴とする通信方式変換アダプターである。
【０００６】
請求項２の発明は、請求項１に記載した通信方式変換アダプターにおいて、ＵＡＲＴ制御部とコマンド変換部はＭＰＵによって構成されていることを特徴とする通信方式変換アダプターである。
【０００７】
請求項３の発明は、請求項１または２に記載した通信方式変換アダプターにおいて、ＵＡＲＴ機器がハンズフリー装置等の外部接続型の制御装置であり、ＵＳＢ機器が携帯電話機であることを特徴とする通信方式変換アダプターである。
【０００８】
請求項４の発明は、請求項１から３のいずれかに記載した通信方式変換アダプターにおいて、通信機器用の充電器の接続用リセと、前記接続用リセを介して充電器から供給された電源を分別して所定の電圧に変換してＵＡＲＴ制御部等に電源電圧を供給する電源部とＵＳＢ通信方式用ケーブルを介して前記通信機器に電源電圧を供給する充電制御部とを備え、前記通信方式変換アダプターの動作電圧と前記通信機器の充電電圧の発生を同時に可能とすることを特徴とする通信方式変換アダプターである。
【発明の効果】
【０００９】
本発明の通信方式変換アダプターを使用すれば、携帯電話機等の通信機器を最新の第三世代のものに買い換えても、外部接続タイプの制御装置は従来の第ニ世代対応のものを引続き利用できる。
【発明を実施するための最良の形態】
【００１０】
本発明の実施の形態に係る通信方式変換アダプター１を図面に従って説明する。
図１は、通信方式変換アダプター１の接続方法の説明図であり、図２は、通信方式変換アダプター１のハードウエア構成図である。
先ず、通信機能に着目して説明すると、この通信方式変換アダプター１は、第ニ世代対応の外部接続タイプの制御装置３と第三世代に属する携帯電話機９との間に接続されて使用されるものであり、外部接続タイプの制御装置３とは通信方式変換アダプター１の接続用リセ５に接続されたＵＡＲＴ通信方式用ケーブル７を介してコマンドの送受信が行われ、携帯電話機９とは通信方式変換アダプター１のＷ−ＣＤＭＡ用通信プラグ１１に接続されたＵＳＢ通信方式用ケーブル１３を介してコマンドの送受信が行われる。
【００１１】
ＭＰＵ１５（チップ）はＣＰＵ、ＲＯＭ、ＲＡＭ、ＵＡＲＴ制御部１７で主に構成されており、ＣＰＵはコマンド変換部１９としての機能を備えている。即ち、ＲＯＭにはコマンド変換プログラムとコマンド変換テーブル２１が格納されており、ＣＰＵにより構成されたコマンド変換部１９はコマンド変換プログラムに従ってコマンド変換テーブル２１を読み出して、ＲＡＭをワークエリアとして使用しながらコマンド処理を実行する。コマンド変換テーブル２１には、第二世代コマンドと第三世代コマンドの対応データが書き込まれている。
ＵＳＢホスト制御部２３（チップ）は、携帯電話機９の図示しないターゲット制御部とのコマンドの送受信機能を有している。
【００１２】
以下に、通信方式変換手順を、図３の通信方式変換手順フローチャートに従って説明する。
外部接続タイプの制御装置３から携帯電話機９用のＡＴコマンド列が発行されると（ステップＳ１）、通信方式変換アダプター１はＵＡＲＴ通信方式用ケーブル７のＴｘＤ（シリアル送信ライン）及び接続用リセ５を介してＵＡＲＴ制御部１７でコマンド受信する（ステップＳ２）。
ＵＡＲＴ制御部１７がＡＴコマンド列を受信すると、ＭＰＵ１５がコマンド変換部１９を動作させて同等機能のコマンド列に変換して（ステップＳ３）、変換コマンド列をＵＳＢホスト制御部２３に転送する。ホスト機能を有するＵＳＢホスト制御部２３が変換コマンド列を受取ると、Ｗ−ＣＤＭＡ用通信プラグ１１及びＵＳＢ通信方式用ケーブル１３のＵＳＢ  Ｄ＋またはＤ−（シリアル送信ライン）を介して携帯電話機９にＵＳＢ通信方式に従ったシーケンスによりコマンド送信する（ステップＳ４）。
そして、コマンド応答の待機状態となる。
【００１３】
携帯電話機９の図示しないターゲット制御部は変換コマンド列を受信すると（ステップＳ５）、コマンド処理を行い、正常処理か異常（無効を含む）終了かいずれかの応答コマンドを送信する（ステップＳ６）。携帯電話機９は変換コマンド列を受信すると、正常処理か異常終了かのいずれでも、応答コマンドの発行によりコマンド処理を終了する。
携帯電話機９から応答コマンドが送信されると、通信方式変換アダプター１はＵＳＢ通信方式用ケーブル１３のＵＳＢ  Ｄ−またはＤ＋（シリアル受信ライン）及びＷ−ＣＤＭＡ用通信プラグ１１を介してＵＳＢホスト制御部２３でコマンド受信する（ステップＳ７）。
【００１４】
ＵＳＢホスト制御部２３が応答コマンドを受信すると、ＭＰＵ１５がＵＡＲＴ制御部１７にそれを転送させ、コマンド変換部１９を動作させて同等機能のコマンドに変換して（ステップＳ８）、変換コマンドをＵＡＲＴ制御部１７に転送する。ＵＡＲＴ制御部１７が変換コマンドを受取ると、接続用リセ５及びＵＡＲＴ通信方式用ケーブル７のＲｘＤ（シリアル受信ライン）を介してＵＡＲＴ通信方式に従ったシーケンスによりコマンド送信する（ステップＳ９）。
そして、制御装置３が該変換コマンドを応答コマンドとして受信することで一連の手順を終了する（ステップＳ１０）。
【００１５】
次に、充電機能に着目して説明すると、この通信方式変換アダプター１は、本自分自身と携帯電話機９の図示しないバッテリへの充電を携帯電話機９の付属充電器２５を利用して可能としている。
充電器２５からの電源は、接続用リセ２７を介して、通信方式変換アダプター１に供給され、更に分別されて、アダプター１自体の電源部２９と、携帯電話機９のバッテリと、ＵＳＢ通信方式用ケーブル１３のＵＳＢ  ＶＢＵＳ（電圧バス）ライン３５に供給される。
ＧＮＤはグランド（ＧＮＤ：０［Ｖ］）に接続され、ＧＮＤ（ＵＳＢ  ＧＮＤ）からはＵＳＢ電圧Ｖ０が供給される。
【００１６】
以下、図４の充電動作の説明図に従って、供給先毎に説明する。
電源部２９に供給された電源は、そこで電源電圧として最適な電圧に変換された上で、ＭＰＵ１５、ＵＳＢホスト制御部２３にそれぞれ電源電圧として供給されて、通信方式変換アダプター１自体の動作電圧を発生させる。
【００１７】
上記の他に、電源部２９からの供給電圧は、スイッチ制御部３３、Ｗ−ＣＤＭＡ用通信プラグ１１、及びＵＳＢ通信方式用ケーブル１３のＵＳＢ  ＶＢＵＳ（電圧バス）ライン３５を介して携帯電話機９にＵＳＢ通信方式に従ったシーケンスによりＶＢＵＳ信号として出力される。
ＵＳＢ  ＶＢＵＳ(電圧バス）ライン３５は携帯電話機９の内部のレジスタに連結されており、ＵＳＢ  ＶＢＵＳ信号の存在が検出されると携帯電話機９はハンズフリーモードで動作する。一方、ＵＳＢ  ＶＢＵＳ信号の存在が検出されないと通常の携帯モードで動作する。携帯モードにおいては、外装上で接触可能な種々のボタンの押下により反応する。
ＵＳＢ  ＶＢＵＳ（電圧バス）信号の供給／停止の制御は、通信方式変換アダプター１のＭＰＵ１５からの制御信号に従ってスイッチ制御部３３が行う。
【００１８】
携帯電話機９のバッテリに最終的に供給される場合には、先ず、通信方式変換アダプター１の内部の充電制御部３１に電源が供給され、そこで携帯電話機９用の充電電圧として最適な電圧に変換された上で、ＵＳＢ通信方式用ケーブル１３のＷ−ＣＤＭＡ用通信プラグ１１及びＰｏｗｅｒ  Ｓｕｐｐｌｅ（電力供給ライン）を介して携帯電話機９のバッテリに供給される。
【００１９】
この実施の形態によれば、通信方式変換アダプター１に充電器２５を接続させることで通信方式変換アダプター１を動作させるだけでなく、携帯電話機９のバッテリへの連続充電を行えることから、充電のためだけに充電器２５を携帯電話機９に接続する手間が無くなる。
【００２０】
以上、本発明の実施の形態を説明したが、本発明の具体的構成が上記の実施の形態に限定されるものではなく、本発明の要旨から外れない範囲での設計変更があっても本発明に含まれる。
例えば、異常コマンドは、通信方式変換アダプター１の内部のＭＰＵ１５によって正常・異常を判断させた上で発行させてもよい。
【産業上の利用可能性】
【００２１】
本発明の通信方式変換アダプターを利用すれば、通信機器を最新の第三世代のものに買い換えても、ハンズフリー装置などの外部接続タイプの制御装置は従来の第二世代対応のものをそのまま利用できるので、ユーザーにとって高額な出費を伴う買い替えをしないで済むだけでなく、資源の有効利用にも寄与する。
また、本発明の通信方式変換アダプターは、通信機器の付属充電器を利用して自分自身の動作電源の供給を受けるだけでなく、通信機器の連続充電を可能とするので、利便性が高い。
【図面の簡単な説明】
【００２２】
【図１】本発明の実施の形態に係る通信方式変換アダプターの接続方法の説明図である。
【図２】図１の通信方式変換アダプターのハードウエア構成図である。
【図３】図１の通信方式変換アダプターを利用した通信方式変換手順フローチャートである。
【図４】図１の通信方式変換アダプターを利用した充電動作の説明図である。
【符号の説明】
【００２３】
１‥‥通信方式変換アダプター
３‥‥外部接続タイプの制御装置        ９‥‥携帯電話機
１５‥‥ＭＰＵ                        １７‥‥ＵＡＲＴ制御部
１９‥‥コマンド変換部                ２１‥‥コマンド変換テーブル
２３‥‥ＵＳＢホスト制御部            ２５‥‥充電器
２９‥‥電源部                        ３１‥‥充電制御部
３３‥‥スイッチ制御部                ３５‥‥ＵＳＢ  ＶＢＵＳ
【図１】
2006185246.tif 000003
【図２】
2006185246.tif 000004
【図３】
2006185246.tif 000005
【図４】
2006185246.tif 000006